(57)【要約】【課題】簡易な施工により、浴室の天井に設置された電気機器が電磁波の影響を受けて誤動作等することを防止できる浴室構造を提供する。【解決手段】浴室の壁を構成する壁パネル２と、浴室の天井を構成する天井パネル３と、導電性を有して天井パネル３に設置された電気機器１３の上側を覆うカバー１４を備える。壁パネル２は上端部に上方に突出する連結片部６を有する。天井パネル３は側端部から下方に突出して連結片部６に重ね合わされる被連結片部９を有する。連結片部６及び被連結片部９が両者に浴室内側から挿通されたねじ具１０によって連結される。カバー１４は、下方に突出する突片部１８と、突片部１８に形成された下方に開口する切り込み１９を有する。ねじ具１０の連結片部６及び被連結片部９よりも浴室外側に突出した部分が切り込み１９に嵌め込まれる。【選択図】図１
2014031665.tif 000002
【特許請求の範囲】
【請求項１】
浴室の壁を構成する壁パネルと、
浴室の天井を構成する天井パネルと、
導電性を有して前記天井パネルに設置された電気機器の上側を覆うカバーを備え、
前記壁パネルは上端部に上方に突出する連結片部を有し、
前記天井パネルは側端部から下方に突出して前記連結片部に重ね合わされる被連結片部を有し、
前記連結片部及び前記被連結片部が両者に浴室内側から挿通されたねじ具によって連結され、
前記カバーは、下方に突出する突片部と、この突片部に形成された下方に開口する切り込みを有し、
前記ねじ具の前記連結片部及び前記被連結片部よりも浴室外側に突出した部分が前記切り込みに嵌め込まれたことを特徴とする浴室構造。
【請求項２】
前記天井パネルが導電性を有し、この天井パネルと前記カバーで囲まれた空間に前記電気機器が配置されたことを特徴とする請求項１に記載の浴室構造。
【発明の詳細な説明】
【技術分野】
【０００１】
本発明は天井パネルに電気機器を設置した浴室構造に関する。
【背景技術】
【０００２】
特許文献１には浴室の天井板に浴室空調装置を設置することが開示されている。
【先行技術文献】
【特許文献】
【０００３】
【特許文献１】特許第４２５５２８０号公報
【発明の概要】
【発明が解決しようとする課題】
【０００４】
ところで浴室の天井に電気機器を設置すると、電気機器が無線通信等に伴う外来の電磁波の影響を受けて誤動作等する恐れがある。
【０００５】
本発明は上記事情に鑑みてなされたものであって、簡易な施工により、浴室の天井に設置された電気機器が電磁波の影響を受けて誤動作等することを防止できる浴室構造を提供することを課題とする。
【課題を解決するための手段】
【０００６】
上記課題を解決するために本発明の浴室構造は、浴室の壁を構成する壁パネルと、浴室の天井を構成する天井パネルと、導電性を有して前記天井パネルに設置された電気機器の上側を覆うカバーを備え、前記壁パネルは上端部に上方に突出する連結片部を有し、前記天井パネルは側端部から下方に突出して前記連結片部に重ね合わされる被連結片部を有し、前記連結片部及び前記被連結片部が両者に浴室内側から挿通されたねじ具によって連結され、前記カバーは、下方に突出する突片部と、この突片部に形成された下方に開口する切り込みを有し、前記ねじ具の前記連結片部及び前記被連結片部よりも浴室外側に突出した部分が前記切り込みに嵌め込まれたことを特徴としている。
【０００７】
また、前記天井パネルが導電性を有し、この天井パネルと前記カバーで囲まれた空間に前記電気機器が配置されることが好ましい。
【発明の効果】
【０００８】
本発明にあっては、導電性を有するカバーにより天井パネルに設置された電気機器の上側を覆って、電気機器がカバー外部の電磁波の影響を受け難くすることができる。このため、電気機器の誤動作を生じ難くすることができる。また、壁パネルと天井パネルを連結するねじ具を利用してカバーを天井に固定することができる。さらに天井パネルの上側からカバーを下方に移動させて、カバーの切り込みにねじ具の浴室外側に突出した部分を挿入するだけで、カバーを簡単に固定することができる。従って、簡単な施工によりカバーを天井に固定することができる。
【図面の簡単な説明】
【０００９】
【図１】本発明の実施形態の浴室の概略図である。
【図２】図１のＡ部における拡大断面図である。
【図３】同上のカバーの切り込みを示す正面図である。
【発明を実施するための形態】
【００１０】
以下本発明を添付図面に基づいて説明する。図１は本実施形態の浴室の概略図である。浴室を構成する浴室ユニットは、浴室の床を構成する床パン１、浴室の壁を構成する壁パネル２、及び浴室の天井を構成する天井パネル３を備えている。なお、図１中符号４は床パン１上に設置された浴槽である。
【００１１】
壁パネル２は床パン１の四方に夫々設けられている。各壁パネル２は床パン１の外縁部上又は浴槽４の外縁部上に建て込まれている。各壁パネル２は金属製であり、金属板を折曲加工して形成されている。
【００１２】
各壁パネル２は浴室の壁面をなす鉛直な面板部７を有している。図２に示されるように各壁パネル２の上端部には上横片部５と連結片部６が設けられている。上横片部５は面板部７の上縁から浴室外側に向かって突出している。連結片部６は上横片部５の浴室外側の端縁から上方に向かって突出している。
【００１３】
図１に示されるように天井パネル３は壁パネル２上に設置され、浴室空間を介して対向する二枚の壁パネル２に跨って配置されている。天井パネル３は金属製であり、金属板を折曲加工して形成されている。天井パネル３は天井面をなす水平な面板部８を有している。図２に示されるように天井パネル３の側端部には被連結片部９が設けられている。各被連結片部９は面板部８の浴室外側の側縁部から下方に向かって突出している。
【００１４】
天井パネル３の面板部８は側端部が対応する壁パネル２の連結片部６の上端面に載置されている。天井パネル３の各被連結片部９は対応する壁パネル２の連結片部６に沿って配置され、連結片部６と重ね合わされている。面板部８の側縁に沿って長い各被連結片部９は、その長手方向の複数箇所が対応する連結片部６にねじ具１０を用いて連結されている。各ねじ具１０は軸部１１が浴室内側から連結片部６に通された後、被連結片部９にねじ込まれる。これによって被連結片部９は連結片部６に締結されている。
【００１５】
なお、ねじ具１０にはタッピングねじ等の雌ねじを必要としないねじ、あるいは雌ねじを必要とするねじのいずれを用いてもよい。また、連結片部６と被連結片部９を連結するねじ具１０としてボルトを用いてもよい。すなわち、この場合は連結片部６及び被連結片部９に浴室内側から挿通したボルトの浴室外側に突出した軸部にナットを螺合することで、連結片部６と被連結片部９が締結される。また、図示は省略するが、壁パネル２の上横片部５とこの上方に位置する天井パネル３の面板部８の間には目地材が設けられる。この目地材はねじ具１０の頭部１２を隠し、連結片部６及び被連結片部９においてねじ具１０が通された孔からの水漏れを防止する。また、連結片部６と被連結片部９をねじ具１０で連結するにあたって、被連結片部９の浴室外側に連結片部６を重ね合わせ、これに浴室内側から挿通したねじ具で被連結片部９と連結片部６を連結してもよい。
【００１６】
図１に示されるように天井パネル３上には電気機器１３が設置されている。本実施形態の電気機器１３は浴室暖房乾燥機等の浴室用機器を制御する制御装置である。なお、電気機器１３は前記のものに限られず、天井パネル３に設置される他の電気機器１３であってもよい。
【００１７】
ここで、本実施形態の浴室構造にあっては、電気機器１３が無線通信等に伴う外来の電磁波（ノイズ）の影響を受けることを防止するため、天井パネル３上に電気機器１３の上側を覆って電磁波を遮断するカバー１４が設けられている。なお、本実施形態のカバー１４は浴室天井の全体に亘って設けられるものであるが、浴室天井の一部に対応する部分のみを覆うものであってもよい。
【００１８】
カバー１４はアルミニウム板であり、下方に開口するかぶせ蓋状に形成されている。なお、カバー１４の材質はアルミニウムに限定されるものではなく、電磁波を遮断するものであれば、その他の導電性を有する金属により形成されたものや、金属メッキが施されたもの等であってもよい。
【００１９】
本実施形態のカバー１４は天井パネル３の対向する二辺間に跨って配置されている。カバー１４はその上面部１５の四方の側縁から下方に突出した側面部１６を有している。各側面部１６の下端部には載置片部１７が設けられている。各載置片部１７は側面部１６の下縁から浴室外側に向かって突出している。各載置片部１７は天井パネル３の面板部８に載置され、このうち面板部８の側端部に載置された載置片部１７は壁パネル２の上方に配置されることとなる。
【００２０】
カバー１４の各載置片部１７の浴室外側の端部には突片部１８が設けられている。各突片部１８は載置片部１７の浴室外側の端縁から下側に突出しており、載置片部１７の浴室外側の端縁に沿って長い。各突片部１８は対応する天井パネル３の被連結片部９に沿って配置され、当該被連結片部９と重ね合わされている。
【００２１】
各突片部１８には図３に示されるように複数の切り込み１９が形成されている。切り込み１９は突片部１８の長手方向の複数箇所に形成されている。各切り込み１９は突片部１８の下縁から上方に向かって直線状に伸びており、下方に開口している。図２に示されるように各切り込み１９は前記連結片部６及び被連結片部９を連結するねじ具１０に対応する位置に形成されている。各切り込み１９には対応するねじ具１０の被連結片部９よりも浴室外側に突出した軸部１１が挿通されている。すなわち、カバー１４を設置する際には、カバー１４を天井パネル３に上方から被せ、これにより各切り込み１９に下方より対応するねじ具１０の軸部１１を挿入する。このように各切り込み１９に挿入されたねじ具１０の軸部は切り込み１９の両側縁部に当接する又は近傍に配置され、これにより各突片部１８はその長手方向（壁パネル２の幅方向に沿う方向）の移動が規制される。すなわち、カバー１４は各切り込み１９にねじ具１０の軸部１１を嵌め込むことにより、天井パネル３及び壁パネル２に対して固定されている。なお、電気機器１３のメンテナンスを行う等する際にカバー１４を取り外す場合は、カバー１４を持ち上げてねじ具１０を切り込み１９の下方へ引き出せばよい。
【００２２】
前記のように浴室の天井にカバー１４を設けることで、前記天井パネル３に設置された電気機器１３はカバー１４と天井パネル３によって囲まれた空間に配置される。すなわち、電気機器１３の上側及び浴室外側は、導電性を有するカバー１４の上面部１５及び側面部１６によって夫々覆われることとなる。このため、カバー１４により外来の電磁波を遮断することができる。また、電気機器１３の下方に配置される天井パネル３は導電性を有する金属製であるため、この天井パネル３によっても電磁波を遮断することができる。すなわち、カバー１４と天井パネル３によって電磁シールドされた空間に電気機器１３が配置されることとなる。
【００２３】
また、図１に示されるようにカバー１４は上面部１５及び四方の側面部１６が電気機器１３との間に空間が形成されるように電気機器１３と非接触で配置されている。さらに、カバー１４の上面部１５にはカバー１４と天井パネル３とで囲まれた空間をカバー１４の外部空間に連通させる通気孔２０が複数形成されている。このような通気孔２０を設けることで、電気機器１３を配置した空間、すなわちカバー１４と天井パネル３に囲まれた空間に熱がこもり難くなり、電気機器１３の過度の温度上昇を抑制できる。この点は特にカバー１４の上方に断熱材が設けられる場合等には有効である。なお、本実施形態では通気孔２０を上面部１５にのみ設けたが上面部１５及び側面部１６に設けてもよく、また、側面部１６にのみ設けてもよい。また、通気孔２０を省略しても構わない。
【００２４】
以上説明した本実施形態の浴室構造にあっては、導電性を有するカバー１４により天井パネル３に設置された電気機器１３の上側を覆うことができる。このため、電気機器１３が外来の電磁波の影響を受け難くなり、電気機器１３の誤動作が生じ難くなる。
【００２５】
また、本実施形態では、壁パネル２の上端部に上方に突出する連結片部６が設けられ、天井パネル３の側端部に下方に突出して連結片部６に重ね合わされる被連結片部９が設けられている。また、連結片部６及び被連結片部９が両者に浴室内側から挿通されたねじ具１０によって連結されている。そして、天井パネル３に設置された電気機器１３の上側を覆うカバー１４が、下方に突出する突片部１８と、突片部１８に形成された下方に開口する切り込み１９を有している。また、ねじ具１０の連結片部６及び被連結片部９よりも浴室外側に突出した部分が切り込み１９に嵌め込まれている。これらの構成により、壁パネル２と天井パネル３を連結するねじ具１０を利用してカバー１４を天井に固定することができる。また、天井パネル３の上側からカバー１４を下方に移動させて、ねじ具１０の連結片部６及び被連結片部９よりも浴室外側に突出した部分をカバー１４の切り込み１９に下方から挿入するだけで、カバー１４を簡単に固定することが可能となる。
【００２６】
また、本実施形態では、導電性を有する天井パネル３とカバー１４で囲まれた空間に電気機器１３が配置されている。このため、天井パネル３によっても電磁波を遮断することができ、電気機器１３は外来の電磁波の影響をより一層受け難くなる。
【００２７】
なお、天井パネル３もカバー１４と同様に金属板以外の部材で形成してもよい。この他、本発明は上記し且つ図面に示した実施形態にのみ限定されるものではなく、要旨を逸脱しない範囲内で適宜変更して実施し得るものである。
【符号の説明】
【００２８】
２  壁パネル
３  天井パネル
６  連結片部
９  被連結片部
１０  ねじ具
１４  カバー
１８  突片部
１９  切り込み
【図１】
2014031665.tif 000003
【図２】
2014031665.tif 000004
【図３】
2014031665.tif 000005